(57)【要約】【課題】公知の文書編集装置においては、追加または削除された文字列の位置と内容はわかるが、追加または削除の時間的経過は不明である。本発明は、文書の時間的編集経過を一目でかつ直感的に把握できる文書編集装置を提供することを課題とする。【解決手段】本発明は、経過月数、経過日数まては経過時間に対応して変化するカラーコード発生順位テーブルを有し、原文に対し追加または削除された日時に対応して、追加または削除された文字列を、前記発生順位テーブルを参照して、経過月数、経過日数または経過日時順に変化するカラーコードで規定される色で表示できるようにする。【選択図】図５
2007034782.tif 000002
【特許請求の範囲】
【請求項１】
最初の登録文書を原文とし、この原文登録時に付属的に作成される変更履歴テーブルと、発生順位に対応するカラーコードを予め記憶させたカラーコード発生順位テーブルとを有し、
前期カラーコード発生順位テーブルは、区分すべきタイムスケールに応じて、時間単位、日数単位、月数単位の中のいずれか一つの単位で、一義的に定まるカラーコードを任意に設定できるものとし、
前記変更履歴テーブルは、前記原文登録時を起点として、該起点からの経過時間または経過日数または経過月数を示す経過値と、前記カラーコード発生順位テーブルを前記経過値で検索して得られるカラーコード値と、追加、削除日時を示す変更日時と、追加または削除された文字列からなる変更データと、追加または削除の状態を示すフラグ値とを有し、
元の文書に対し追加または削除された文字列を、変更履歴テーブルに記憶されたカラーコードで規定される色で表示させることにより、追加された文字列および削除された文字列を、追加または削除した日時に対応して変化する色で表示できるようにしたことを特徴とする文書編集装置。
【発明の詳細な説明】
【技術分野】
【０００１】
本発明は、文書編集装置に係り、特に、修正等編集を加えた部分を編集を加えていない部分と区別して表示する機能を有する文書編集装置に関する。
【背景技術】
【０００２】
特許文献１には、新たに追加された文字列あるいは削除された文字列を元の文字列と区別して表示できるフアイル編集装置が記載されている。
【特許文献１】・・・・特開平５−１４３１３６号公報
【発明の開示】
【発明が解決しようとする課題】
【０００３】
特許文献１に記載されたフアイル編集装置においては、追加または削除された文字列の位置と内容はわかるが、追加または削除の時間的経過は不明である。本発明は、文書の編集経過を一目でかつ直感的に把握できる文書編集装置を提供することを課題とする。
【課題を解決するための手段】
【０００４】
最初の登録文書を原文とし、この原文登録時に付属的に作成される変更履歴テーブルと、発生順位に対応するカラーコードを予め記憶させたカラーコード発生順位テーブルとを有し、前期カラーコード発生順位テーブルは、区分すべきタイムスケールに応じて、時間単位、日数単位、月数単位の中のいずれか一つの単位で、一義的に定まるカラーコードを任意に設定できるものとし、前記変更履歴テーブルは、前記原文登録時を起点として、該起点からの経過時間または経過日数または経過月数を示す経過値と、前記カラーコード発生順位テーブルを前記経過値で検索して得られるカラーコード値と、追加、削除日時を示す変更日時と、追加または削除された文字列からなる変更データと、追加または削除の状態を示すフラグ値とを有し、元の文書に対し追加または削除された文字列を、変更履歴テーブルに記憶されたカラーコードで規定される色で表示させることにより、追加された文字列および削除された文字列を、追加または削除した日時に対応して変化する色で表示できるようにしたことを特徴とする。
【発明の効果】
【０００５】
本発明によれば、文書の変更履歴を確認する場合において、月の単位で変更履歴を確認する必要があるのか、日の単位で変更履歴を確認する必要があるのか、あるいは、さらに詳細な時間の単位で変更履歴を確認する必要があるのかを、検討し、検討結果にマッチしたタイムスケール条件を任意に選択することができるので、文書の変更履歴をきわめて効率的に確認することができる。
【発明を実施するための最良の形態】
【０００６】
以下添付図面を参照して本発明の好適な実施例を説明する。
【０００７】
本発明を実施するためのシステムは、図１に示すように、操作ボタンを表示する表示装置１と、この表示装置１に表示されている操作ボタンを選択指示するキーボード、マウス、タッチパネルまたはペン等の入力装置２と、処理すべきデータや、操作ボタンをボタン・クラス、ボタン・グループ、個別ボタンで構成して記憶するメモリーやディスク等を備えた記憶装置３と、これらの各装置を制御して操作ボタンの選択指示に対応する処理を実行する中央処理装置４とから主に構成されている。
【０００８】
図２は本発明の１実施例におけるカラーコード発生順位テーブルを示すもので、３種類示されている。
【０００９】
図２（ａ）は、経過値を月単位で管理する経過月数別カラーコード表、図２（ａ）は、日単位で管理する経過日数別カラーコード表、図２（ｃ）は時間単位で管理する経過時間数別カラーコード表を示したものである。
【００１０】
ここで、カラーコードとは、特定の色を光の３原色に分解し、赤、緑、青（Ｒ、Ｇ、Ｂ）の各色成分の色諧調数値の和で表したものであり、各色成分の諧調は２５６段階（１６進数の場合には０〜ＦＦの整数値で示される）として、組み合わせ数は、理論的には、最大１６，７７７，２１６色となる。が、実際には、表示媒体の性能、ＯＳ（Ｏｐｅｒａｔｉｎｇ  Ｓｙｓｔｅｍ）上の制限が加わり、さらには、必要とされる識別力を考慮すると、実際に使用できるカラーコードはおのずから限定される。
【００１１】
そこで、実際に使う場合の便宜を考慮して、各種のカラーコード表が発表されており、その中でも、２１６色で構成される「Ｗｅｂセーフカラー」は、さまざまなＯＳやブラウザで共通して使えるカラーコードとして広く知られている。
【００１２】
図２（ａ）は経過月数別カラーコード表であり、２１６色のＷｅｂセーフカラーの中から選んで構成してある。２１６色全部を各月に割り振れば、最大では、ほぼ１８年間にわたって異なる色を割り当てることができるが、識別力を考慮して一部のカラーコードは未使用としている。
すなわち、経過値「０」に対応する黒色「＃００００００」に対し、隣接色となる経過値「１」のカラーコードは、本来ならば、「＃００００３３」であるが、黒色と区別できるようにダークグリーン系列のカラーコード「＃００３３００」を設定してある。
【００１３】
図２（ｂ）は経過日数別カラーコード表であり、１３１１色のカラーチャートをベースにして組み合わせてある。１３１１色をそれぞれ各日に割り当てれば、約３．６年間にわたって異なる色を割り付けることができる。
【００１４】
図２（ｃ）は経過時間数別カラーコード表であり、図２（ｂ）の経過日数別カラーコード表と同様、１３１１色のカラーチャートをベースにして組み合わせたカラーコード表であり、１３１１色を各時間に割り当てれば、約１７０日にわたって、異なる色を割り付けることができる。
【００１５】
図３は、本発明の１実施例における新規文書登録画面を示すものである。編集文書を最初に登録する場合は、変更履歴の管理時間単位を３種類の時間単位の中から任意の１つを選択することが必要である。
この選択結果により、新規登録文書は、以降においてこれに変更を加えた場合には、選択した管理時間単位で変更履歴が管理される。
以下の説明では、図のように、管理時間単位として、「２．日単位」を選択したものとして説明する。
【００１６】
上記のようにした新規に登録された文書を原文とし、これに、数箇所の追加、または削除という変更を加えた変更文例を図４に示す。
【００１７】
図４のように原文に変更が加えられると、同時に、図５に示すような変更履歴テーブルが作成される。
【００１８】
変更履歴テーブルは、図５に示されているように、原文を変更登録する毎に自動的に発生する整数値からなるタグ番号と、文書またはその一部を変更して登録した日時を示す変更日時と、原文登録日時から当該変更日時までの経過日数を示す経過値と、タグ番号に対応するカラーコードと、変更文字列が記録される変更データと、変更データの状態すなわち追加または削除に対応して所定の値が入力される追加削除フラグとを有する。
【００１９】
なお、文書を実際に表示するには、変更データの挿入位置または削除位置などの位置データも必要であるが、かかる位置データの指定方法に関しては、文字編集上の公知技術であるため、説明を省略する。
【００２０】
図５において、タグ番号「０」の行には、原文の初回登録時の情報が自動入力されている。
すなわち、変更日時としては登録日時、経過値としては、登録日時からの経過日数であるから「０」、カラーコードとしては、黒色のコードである「＃００００００」、変更データは原文であるため空白、追加削除フラグとしては「０」が入力されている。
【００２１】
次に、図４の変更文に示すように、まず、「ＡＡＡ」という文字列が追加されこれが登録されると、図５の変更履歴テーブルにタグ番号「１」が入力されるとともに、変更日時が、原文の最初の登録日時から１日以内とすると、経過値として「１」が自動的に入力される。
なお、かかる日時計算の基準となる時計手段は、前述した中央処理装置４内に備えられているものとする。
【００２２】
同時に、カラーコードとしては、当該経過値「１」をキーとして、図２（Ｂ）の経過日数別カラーコード表を検索して、前記経過値に対応するカラーコード「＃ＦＦ００１Ａ」が抽出、入力される。
【００２３】
追加された文字列「ＡＡＡ」は、変更データとして保存される。追加削除フラグとしては、追加を示すフラグ値「＋１」が自動入力される。
【００２４】
図４を参照すると、原文に対して、更に、文字列「ＢＢＢ」の追加、「ＣＣＣＣ」の削除、「ＤＤ」が追加されている。これに伴い、図５の変更履歴テーブルには、タグ番号「２」、「３」、「４」の行が順次追加され、各変更に対して、それぞれの変更日時、経過値、経過値に対応するカラーコード、変更データ、追加削除フラグの各データがそれぞれ自動入力されていることがわかる。
【００２５】
図示の例では、各変更は、それぞれ異なる日時で登録されたものとしたため、経過値およびこれに対応するカラーコードはそれぞれ異なっているが、同一日時で一括して登録することもできる。ただし、この場合には、変更データは、連続する変更文字列乃至変更領域毎に区分して登録できるように工夫する必要がある。
【図面の簡単な説明】
【００２６】
【図１】本発明の１実施例における文書編集装置のブロック図。
【図２】本発明の１実施例におけるカラーコード発生順位テーブル。
【図３】本発明の１実施例における文書登録画面。
【図４】本発明の１実施例における変更文例。
【図５】本発明の１実施例における変更履歴テーブル
【符号の説明】
【００２７】
１    表示装置
２    入力装置
３    記憶装置
４    中央処理装置
【図１】
2007034782.tif 000003
【図２】
2007034782.tif 000004
【図３】
2007034782.tif 000005
【図４】
2007034782.tif 000006
【図５】
2007034782.tif 000007